(57)【要約】【課題】ＨＤＭＩネットワーク内に存在する各機器の情報を高速に取得して表示できる表示システムを提供する。【解決手段】この表示システムは、表示装置と１つ以上の外部機器とをＨＤＭＩネットワークで接続しており、前記表示装置は、放送番組に関する情報を記憶する記憶部と、前記外部機器で変化のあった放送番組のチャンネル情報と変化状況を受信する変化状況受信部と、前記記憶部を参照して、前記チャンネル情報と現在の日時情報とから、前記外部機器で変化のあった放送番組の内容と前記変化状況とを表示する状況表示部と、を備え、前記外部機器は、自機器で変化のあった放送番組のチャンネル情報と変化状況を送信する変化状況送信部を備えるものである。【選択図】図３
2009055538.tif 000002
【特許請求の範囲】
【請求項１】
１つ以上の外部機器とＨＤＭＩネットワークで接続された表示装置において、放送番組に関する情報を記憶する記憶部と、前記外部機器で変化のあった放送番組のチャンネル情報と変化状況を受信する変化状況受信部と、前記記憶部を参照して、前記チャンネル情報と現在の日時情報とから、前記外部機器で変化のあった放送番組の内容と前記変化状況とを表示する状況表示部と、を備えることを特徴とする表示装置。
【請求項２】
請求項１に記載の表示装置において、前記変化状況は、予約された放送番組の開始、終了、あるいは、放送中の番組の変更であることを特徴とする表示装置。
【請求項３】
請求項１に記載の表示装置において、前記変化状況受信部は、ＨＤＭＩのＣＥＣベンダコマンドにて変化状況を受信することを特徴とする表示装置。
【請求項４】
請求項１に記載の表示装置において、前記状況表示部は、機器の名前、変化状況、チャンネル情報、番組名、放送時間帯を簡易的バナーとして表示することを特徴とする表示装置。
【請求項５】
請求項１に記載の表示装置において、前記外部機器の放送中あるいは予約中の放送番組のチャンネル情報とその放送番組の受信状況を要求する状況要求部を備え、前記状況表示部は、機器の名前、受信状況、チャンネル情報、番組名、放送時間帯を簡易的バナーとして表示することを特徴とする表示装置。
【請求項６】
請求項５に記載の表示装置において、前記受信状況は、放送番組の受信中あるいは受信待機中であることを特徴とする表示装置。
【請求項７】
請求項５に記載の表示装置において、前記状況要求部を周期的に実行することを設定する周期設定部を備え、前記状況表示部は、前記周期設定部で設定された周期で、前記状況要求部によって取得した前記外部機器の受信状況を簡易的バナーとして表示することを特徴とする表示装置。
【請求項８】
請求項１に記載の表示装置において、前記外部機器の放送中あるいは予約中の放送番組のチャンネル情報を要求し、前記記憶部を参照して、該チャンネル情報に対応する放送番組の詳細情報を表示する詳細表示部を備えることを特徴とする表示装置。
【請求項９】
請求項１乃至８に記載の表示装置において、前記外部機器は、デジタルレコーダであることを特徴とする表示装置。
【請求項１０】
表示装置と１つ以上の外部機器とをＨＤＭＩネットワークで接続した表示システムにおいて、前記表示装置は、放送番組に関する情報を記憶する記憶部と、前記外部機器で変化のあった放送番組のチャンネル情報と変化状況を受信する変化状況受信部と、前記記憶部を参照して、前記チャンネル情報と現在の日時情報とから、前記外部機器で変化のあった放送番組の内容と前記変化状況とを表示する状況表示部と、を備え、前記外部機器は、自機器で変化のあった放送番組のチャンネル情報と変化状況を送信する変化状況送信部を備えることを特徴とする表示システム。
【発明の詳細な説明】
【技術分野】
【０００１】
本発明は、表示装置にＳＴＢ(Set Top Box)やＤＶＤ(Digital Versatile Disk)プレーヤ、ＤＶＤレコーダ等の所謂ＡＶ機器をＨＤＭＩ（High-Definition Multimedia Interface）準拠のケーブルによって複数接続した場合に、表示装置において各機器の状態を表示する表示装置および表示システムに関するものである。
【背景技術】
【０００２】
従来、テレビジョン受像機（以下、ＴＶと略す）等の視聴機器にＳＴＢやＤＶＤプレーヤ、ＤＶＤレコーダ等の所謂ＡＶ機器を複数接続し、ＴＶを視聴している場合に、他のＡＶ機器が現在あるいは将来にどのような動作を行うかを知るためには、現在の視聴を一旦中止して目的のＡＶ機器が何を行っているか問い合わせねばならず、操作が複雑であった。
【０００３】
これを解決するものとして、特許文献１の方法では、ネットワークで接続されたＴＶや機器のＥＰＧ（Electric Program Guide）を即座に切換え、表示して、放送されているあるいは将来放送予定の番組を提示したり、録画されている番組を提示して、番組の選択を容易に行えるようにしている。
【０００４】
ところで、最近、次世代テレビ向けのデジタルインタフェース規格として、ＨＤＭＩの規格が確立された（非特許文献１参照）。このＨＤＭＩは、ＤＶＩ（Digital Visual Interface）に音声伝送機能や著作権保護機能、色差伝送機能を加えるなどＡＶ機器向けにアレンジしたものである。従来、機器間の接続に映像・音声・制御の各信号用に複数のケーブルを用いていたが、ＨＤＭＩではＨＤＭＩ準拠のケーブル１本で済み、わずらわしかったＡＶ機器の配線を簡略化できるというメリットがある。
【０００５】
また、物理層にはＴＭＤＳ（Transition Minimized Differential Signaling）が、不正防止機能としてはＨＤＣＰ（High-bandwidth Digital Contents Protection）が、機器間認証にはＥＤＩＤ（Extended Display Identification Data）が、系全体の制御系接続にはＣＥＣ（Consumer Electronics Control）が採用されている。このＣＥＣによって、例えば、テレビからＨＤＭＩ準拠のケーブルで接続されたＳＴＢやＤＶＤプレーヤ等のＡＶ機器に制御信号を中継することによって、一つのリモコン（リモートコントローラ）でＡＶシステム全体を操作することが可能になっている。
【０００６】
このうちＣＥＣについては、ＨＤＭＩ規格書のＳｕｐｐｌｅｍｅｎｔ１に説明されており、ＣＥＣに使用できる推奨された機能と、電気特性、信号とビットタイミング、ヘッダ／データブロックなどの定義と、デバイス間の通信に対する規約等の説明がされている。
【特許文献１】特開２００７−８２０４２号公報
【非特許文献１】HDMI Licensing LLC, High-Definition Multimedia Interface Specification Version 1.3a
【発明の開示】
【発明が解決しようとする課題】
【０００７】
上述の特許文献１の方法では、ネットワークに接続されたＴＶや機器の放送・録画あるいは将来放送予定の番組等の状況を知るためには、接続先の機器のＥＰＧの内容を取り寄せて現在視聴中のＴＶに表示するようにしている。
【０００８】
特許文献１のように、各機器のＥＰＧを転送しようとすると、高速の伝送回線が必要となるが、ＨＤＭＩ準拠のケーブルによって接続されたＨＤＭＩネットワークでは、低速なＣＥＣプロトコルを用いなければならないので、高速なレスポンスが望めない。
【０００９】
本発明は、上述の実情を考慮してなされたものであって、ＨＤＭＩネットワーク内に存在する各機器の情報を高速に取得して表示できる表示装置および表示システムを提供することを目的とする。
【課題を解決するための手段】
【００１０】
上記課題を解決するために、本発明においては次のような構成をとることにした。
表示システムは、表示装置と１つ以上の外部機器（例えば、デジタルレコーダ）とをＨＤＭＩネットワークで接続し、前記表示装置は、放送番組に関する情報を記憶する記憶部と、前記外部機器で変化のあった放送番組のチャンネル情報と変化状況（予約された放送番組の開始、終了、あるいは、放送中の番組の変更）を受信する変化状況受信部と、前記記憶部を参照して、前記チャンネル情報と現在の日時情報とから、前記外部機器で変化のあった放送番組の内容と前記変化状況とを簡易的バナーとして表示する状況表示部と、を備え、前記外部機器は、自機器で変化のあった放送番組のチャンネル情報と変化状況を送信する変化状況送信部を備えている。ここで、該表示装置と該外部機器とは、ＨＤＭＩのＣＥＣベンダコマンドにて送受信するものであり、前記簡易的バナーには、機器の名前、変化状況または受信状況、チャンネル情報、番組名、放送時間帯が表示される。
【００１１】
さらに、前記表示装置には、前記外部機器の放送中あるいは予約中の放送番組のチャンネル情報とその放送番組の受信状況（放送番組の受信中あるいは受信待機中）を要求する状況要求部と、前記状況要求部を周期的に実行することを設定する周期設定部と、前記外部機器の放送中あるいは予約中の放送番組のチャンネル情報を要求し、前記記憶部を参照して、該チャンネル情報に対応する放送番組の詳細情報を表示する詳細表示部と、を備えて、前記周期設定部で周期が設定されると、前記状況表示部は、前記状況要求部によって取得した前記外部機器の受信状況を簡易的バナーとして表示し、
前記外部機器には、前記表示装置からの受信状況の要求を受信し、自機器の放送番組の受信状況を収集し、チャンネル情報と受信状況を返信する状況返信部を備えている。
【００１２】
また、上述した構成の表示装置や外部機器の各部として、コンピュータを機能させるためのプログラムを作成しておき、または、そのプログラムをコンピュータ読み取り可能な記録媒体に記録しておき、このプログラムを表示装置や外部機器に備えられたコンピュータで実行することによっても上記課題を解決することができる。
【発明の効果】
【００１３】
本発明によれば、ユーザは、ＨＤＭＩネットワークで接続した各機器の状態を高速に知ることができる。
【発明を実施するための最良の形態】
【００１４】
以下、図面を参照して本発明の実施の形態について説明する。尚、ここで示す実施形態は、あくまでも一例であって、必ずしもこの実施形態に限定されるものではない。
【００１５】
図１は、本実施形態に係る表示システムの例である。この表示システムは、表示装置１０と複数の外部機器３０1，３０2がＨＤＭＩ規格に準拠したＨＤＭＩ準拠のケーブルＣａ、Ｃｂを介して接続されている。
【００１６】
例えば、表示装置１０としてはテレビジョン受信機（ＴＶ）やテレビジョン受信機能を備えたディスプレイ等があり、外部機器３０としてはＡＶアンプ、ＳＴＢ（Set Top Box）、プレーヤやレコーダ等のＡＶ機器があり、これらはすべてＨＤＭＩ規格（非特許文献１参照）に準拠したＨＤＭＩコネクタを有している。
【００１７】
以下の説明では、表示装置１０をテレビジョン受信機能を備えたディスプレイ（ＴＶ）、外部機器３０をチューナ付きのレコーダとして説明する。
【００１８】
図１においては、表示装置（ＴＶ）１０から二つのブランチが出ており、その一つは外部機器（レコーダ１）３０1がＨＤＭＩ準拠のケーブルＣａによって接続されている。表示装置１０からのもう一つのブランチには、外部機器（レコーダ２）３０2がＨＤＭＩ準拠のケーブルＣｂによって接続されている。これらのレコーダ１，２には、チューナが搭載され、それぞれ録画予約機能があり、ＴＶ１０を介さなくても録画することができるものとする。
【００１９】
しかし、表示装置（ＴＶ）１０で受信した映像・音声を、ＨＤＭＩ準拠のケーブルＣを介して転送し、外部機器（レコーダ）３０に記録するものとしても構わない。
また、本例では、表示装置（ＴＶ）１０に対して、２台の外部機器（レコーダ）３０を接続しているが、これに限定されるものではなく、アンプ、ＡＶプレーヤ、ＳＴＢ等を複数台接続させても構わないし、これらの機器の接続は一定のものではなく、ユーザが適宜決定するものであっても構わない。
【００２０】
また、このＨＤＭＩ準拠のケーブルＣは、デジタル映像信号およびデジタル音声信号の送受信だけではなく、ＣＥＣプロトコルによる制御信号も送受信される。また、通常、表示装置や各外部機器はスタンバイモードとなっており、ＨＤＭＩネットワーク上の途中に電源が入っていない機器があってもその先の機器に信号を送ることはできる。
【００２１】
図２は、本発明が適用される表示装置１０の構成を示すブロック図であり、図２において、本実施形態に係る表示装置１０は、主制御部１１、記憶部１２、リモコンＩ／Ｆ（インタフェース）部１３、チューナ１５、分離部１６、復号部１７、ＨＤＭＩ信号処理部１８、入力切替部１９、ＯＳＤ生成部２０、出力制御部２１、音声・映像出力部２２から構成される。
【００２２】
主制御部１１は、当該表示装置１０における全体制御を行う。この主制御部１１は、ＣＰＵ（Central Processing Unit）等を内蔵したマイクロプロセッサでなり、記憶部１２を利用して、リモコン２５から送出された操作情報をリモコンＩ／Ｆ部１３を介して受信し、その操作内容が反映されるように各部をそれぞれ制御する。特に、この発明に係る処理として、後述するように、番組表情報の取得や接続された外部機器の状況の取得、その状況の表示がある。
【００２３】
記憶部１２は、主制御部１１で実行される制御プログラム、各種アプリケーションプログラムやデータを格納したり、制御プログラムや各種アプリケーションプログラムが実行時に一時的にデータ等を格納するために使われ、電源を切られたときにも維持する情報には不揮発性メモリ（例えば、ＲＯＭ（Read Only Memory）、ＥＥＰＲＯＭ（Electrically Erasable and Programming ROM）、フラッシュメモリやハードディスクなど）を用い、一時的格納される情報には揮発性メモリ（例えば、ＲＡＭ（Random Access Memory））を用いる。
【００２４】
リモコンＩ／Ｆ部１３は、視聴者からの指示を入力するためのリモコン２５とのインタフェース部であり、リモコン２５から光信号を受信し、受信した光信号を復調して通信データを取得して主制御部１１に送る。
【００２５】
リモコン２５には、主として、電源キー、放送チャンネルのダイレクト選局キー、クイックキー、チャンネルアップダウンキー、十字キー、決定キー、番組表キー、終了キー、戻るキー、色キー（青，赤，緑，黄）、音量調整キー、スクロールキー、メニューキー等の他に、レコーダへのダイレクトキー（記録・再生・状況表示）、コネクト選択キー（録画リスト、メディア切換、サラウンド、ＨＤＭＩ機器切換、機器一覧表示等）が設けられており、各キーが押されると、押されたキーの種別を操作情報としてリモコンＩ／Ｆ部１３に送出する。
【００２６】
チューナ１５は、アンテナなどから取り込まれ、入力端子２３を介して送られてくるデジタルテレビジョン放送の放送波から所定のチャンネルの放送信号を取り出し、このチャンネルの放送信号を復調して分離部１６へ出力する。また、デジタルテレビジョン放送の放送波は、アンテナから取り込まれるものに限られず、ケーブルテレビ局などからケーブルを介して取り込まれてもよい。
【００２７】
分離部１６は、チューナ１５によって選局されたチャンネルの放送信号に多重化された音声信号、映像信号およびＥＰＧデータ信号をそれぞれ分離して、音声信号および映像信号を復号部１７へ出力し、ＥＰＧデータ信号を主制御部１１へ出力する。ＥＰＧデータ信号には、例えば、放送局名、チャンネル番号、番組名、放送時間帯（開始日、開始時刻、番組の長さ）、番組内容（原作、演出、配役、あらすじ等）などの各番組に関する情報が含まれている。
【００２８】
復号部１７は、分離部１６にて分離した音声信号を復号してデジタル音声信号を生成し、さらに、映像信号を復号して量子化係数や動きベクトルを求め、逆離散コサイン変換や動きベクトルに基づく動き補償制御などを行って、デジタル映像信号を生成して、それらを入力切替部１９に出力する。
【００２９】
外部機器３０からＨＤＭＩ準拠のケーブルを介して供給される当該テレビジョン受信装置宛のデジタル信号は、ＨＤＭＩコネクタ２４で受信され、ＨＤＭＩ信号処理部１８に供給される。
このＨＤＭＩ信号処理部１８は、入力されたデジタル信号から、映像信号と音声信号とを復元して入力切替部１９に出力し、また、ＣＥＣプロトコルに準拠した制御信号を主制御部１１に出力する。
【００３０】
また、主制御部１１から外部機器３０へ出力される制御信号は、ＨＤＭＩ信号処理部１８に供給される。このＨＤＭＩ信号処理部１８は、供給された制御信号をＣＥＣプロトコルに準拠した制御信号へ変換して、ＨＤＭＩコネクタ２４およびＨＤＭＩ準拠のケーブルを介して外部機器３０に出力している。
【００３１】
また、外部機器３０からＨＤＭＩ規格に準拠したＨＤＭＩ準拠のケーブルを介して供給される当該表示装置宛以外のデジタル信号は、ＨＤＭＩコネクタ２４からＨＤＭＩ準拠のケーブルを介して接続された外部機器３０へ転送される。
【００３２】
入力切替部１９は、復号部１７から出力される映像信号および音声信号と、ＨＤＭＩ信号処理部１８から出力される映像信号および音声信号とを、主制御部１１からの制御に応じて選択的に切り換えて、映像信号および音声信号を出力制御部２１に供給する。
【００３３】
主制御部１１は、テレビジョン放送信号が受信されていると、チューナ１５、分離部１６、復号部１７を制御するとともに、復号部１７から出力される映像信号および音声信号を選択するように入力切替部１９を制御する。
【００３４】
また、主制御部１１は、ＨＤＭＩ規格に準拠したデジタル信号の受信が選択されていると、ＨＤＭＩ信号処理部１８の動作設定を行うとともに、このＨＤＭＩ信号処理部１８から出力される映像信号および音声信号を選択するように入力切替部１９を制御する。
【００３５】
ＯＳＤ（On Screen Display）生成部２０は、視聴チャンネル、現在時刻、音量、各種設定画面などのＯＳＤ表示データや外部機器３０の状況を示すデータを主制御部１１から受信し、視聴画面上に表示可能な形態として出力制御部２１に出力する。外部機器３０の状況の表示は、ＯＳＤ生成部２０を介して行われる。
【００３６】
出力制御部２１は、入力切替部１９を介して受け取ったデジタル音声信号をＤ／Ａ変換してアナログ信号を生成して、音声・映像出力部２２のスピーカなどに出力する。
また、出力制御部２１は、入力切替部１９を介して受け取ったデジタル映像信号をＤ／Ａ変換し、例えばコンポジット映像信号に変換し、さらに、ＯＳＤ生成部２０から番組表やメニューや外部機器の状況を示すデータ（簡易的バナーや番組の詳細情報）を重畳した映像信号を生成して、音声・映像出力部２２の液晶ディスプレイなどに出力する。
【００３７】
次に、外部機器３０の構成は、録画機能以外の部分は上記の表示装置１０とほぼ同様であるから、説明を省略する。予約録画機能が実行された場合、予約番組ごとに、チャンネル、録画開始時間および録画終了時間を予約番組テーブルとして記憶部に記憶させておくものとする。
【００３８】
次に、本実施形態に係る表示装置１０および外部機器３０の機能構成について説明する。
図３は、本実施形態に係る表示装置１０および外部機器３０の機能構成を示すブロック図であり、同図において、表示装置１０は、テレビジョン受信機の一般的な機能に加えて、ＥＰＧ取込部１０１、ＥＰＧ記憶部１０２、接続機器記憶部１０３、状況表示設定指示部１０４、状況表示可否記憶部１０５、周期設定部１０６、状況要求部１０７、状況表示部１０８、変化状況受信部１０９、詳細表示部１１０を含んで構成されている。
また、外部機器３０は、レコーダの一般的な機能に加えて、状況返信部３０１、変化状況送信部３０２を含んで構成されている。
【００３９】
まず、表示装置１０について説明する。
ＥＰＧ取込部１０１は、当該表示装置１０の電源を視聴者が切るとき、電源を入れるとき、あるいは、放送が視聴されていないときに、主制御部１１から起動され、全ての有効なチャンネルに対してチャンネルを順次に切り替え、チューナ１５に対してチャンネルのチューニング情報を与えると共に、分離部１６に対してはＥＰＧデータ取得のための設定情報を与える。このチャンネルの切替は、例えば、チャンネル番号の小さい順などで順次行う。
【００４０】
ＥＰＧ取込部１０１は、分離部１６からＥＰＧデータを取得するごとに、ＥＰＧデータの構造解析を行い、ＥＰＧ記憶部１０２に格納されていない番組についてはそのＥＰＧデータを追加し、同じ番組が存在するときには最新のＥＰＧデータと置き換えて、ＥＰＧ記憶部１０２を更新して、主制御部１１へ制御を戻す。
【００４１】
ここで、同じ番組であることの判定は、放送局名、チャンネル番号、番組名の一致を要件とするが、更に、ＥＰＧデータの中の他の情報を勘案して厳密な一致判定を行なうようにしてもよい。
【００４２】
ＥＰＧ記憶部１０２は、ＥＰＧデータの解析結果のうち、放送局名、チャンネル番号、番組名、放送時間帯（開始日、開始時刻、番組の長さ）、番組内容等（原作、演出、配役、あらすじ等）などのデータ項目を番組ごとに格納する。このＥＰＧ記憶部１０２は、同じ放送局ごとに、チャンネル番号が昇順となるように整列されて記憶されるものとする。
【００４３】
表示装置１０は、ＨＤＭＩネットワークに接続している外部機器の接続状態等を取得して、それらを接続機器記憶部１０３に記憶させて管理する。
接続機器記憶部１０３は、図４に例示したように、外部機器の論理アドレスごとに次のデータ項目を記憶する。（ここで、図４では、本実施形態で説明する情報について記載してあるが、実際にＨＤＭＩネットワークを管理するためには記載以外の情報も必要になってくる。）
【００４４】
論理アドレス：ＨＤＭＩ  ＣＥＣの現在のバージョンの規格では、図５に示したように、０〜１５まで扱えることになっており、ＨＤＭＩネットワーク内では唯一名となっている。ここでは、論理アドレスとして、現時点で有効な０から９までを扱うことにする。例えば、図１において、各外部機器の論理アドレスは下記の表のように表される。
【００４５】
【表１】
2009055538.tif 000003
【００４６】
物理アドレス：この物理アドレスは、ＨＤＭＩネットワーク内では唯一名となっているが、外部機器がＨＤＭＩネットワークに追加されたり、切り離されたりすると自動的に調整される。物理アドレスは、５階層のアドレスをもち、同一階層における唯一番号ｎとから構成され、ｎ．ｎ．ｎ．ｎ形式で表現される。表示装置に直接接続された外部機器の階層を第１階層とし、この第１階層の機器に接続された外部機器を第２階層と、表示装置から離れるにしたがって階層番号を増やしていく。そして、上記形式ｎ．ｎ．ｎ．ｎの左端のｎから右へ行くにしたがって階層番号が増えるようにして表記する。
【００４７】
例えば、表示装置はルートデバイスであり、０．０．０．０の物理アドレスを持つ。この表示装置に直接２台の外部機器が接続された場合には、１台目の外部機器の物理アドレスは１．０．０．０、２台目の外部機器の物理アドレスは２．０．０．０と表記する。そして、２台目の外部機器に３台の外部機器が接続すると、それぞれの物理アドレスは、２．１．０．０、２．２．０．０、２．３．０．０と表記する。以下同様に表記され、図１に示された各外部機器の物理アドレスは下記の表のように表される。
【００４８】
【表２】
2009055538.tif 000004
【００４９】
機器の名前：外部機器の名前であり、各外部機器がＨＤＭＩネットワークに接続された時点を検知して、ＣＥＣコマンドによって各外部機器から取得して保持される。
【００５０】
主制御部１１は、次のような適切なタイミングで外部機器３０の状態を取得して、接続機器記憶部１０３を更新する。
【００５１】
（１）表示装置の電源がオンにされたことを検知して実行する。
（２）ユーザから機器の状態表示要求が発生した時に実行する。
（３）予め設定された特定の時間に定期的に実行する。
（４）物理アドレスが不明な外部機器からＣＥＣコマンドを受信した時に、あるいは、ＨＤＭＩネットワークに外部機器が接続されたときに、実行する。
【００５２】
主制御部１１は、上記タイミングで、外部機器３０の状態を取得するために、まず、すべての論理アドレス（１乃至９）に対して、ＣＥＣコマンドを用いて物理アドレス要求をＨＤＭＩネットワーク上の外部機器へ送信する。
【００５３】
この物理アドレス要求に対して、物理アドレスが返信されたものに対しては、それぞれの論理アドレスと物理アドレスとを対応させて接続機器記憶部１０３に設定し、物理アドレスの返信のない論理アドレスに対しては、未接続の外部機器として接続機器記憶部１０３に設定する。
【００５４】
また、物理アドレスが返信されたものに対しては、この論理アドレス／物理アドレスの外部機器に対して、「機器の名前」を要求するＣＥＣコマンドを送信する。
このＣＥＣコマンドに対して返信があった場合、論理アドレスに対応させて、返信された機器の名前を接続機器記憶部１０３に設定する。また、ＣＥＣコマンドに対して返信がなかった場合、接続機器記憶部１０３の論理アドレスに対応した物理アドレスおよび機器の名前をリセットする。
【００５５】
主制御部１１は、ユーザがリモコン２５に設けた「状況表示設定」ボタン等を押すことによって、状況表示設定指示部１０４を起動する。
状況表示設定指示部１０４は、起動すると、図６に示すような状況表示設定指示画面を表示する。
【００５６】
まず、ユーザは、ＨＤＭＩネットワークに接続された外部機器において、録画の開始・終了、録画中の番組変更、予約録画の開始・終了等で状況が変化した場合に、表示装置にこの状況の変化を表示するか否かを選択指定する。この既定値は、「表示する」であるが、視聴中にいつも表示されるのでは邪魔になるので、この場合には「表示しない」を選択指示する。
これら操作は、リモコン２５の十字キーによって他の項目を移動し、決定キーによって選択の確定を行うものとする。
【００５７】
しかし、状況の変化を「表示しない」場合にあっても、何らかの変化があったことを知りたいときもある。このような場合には、表示装置１０に変化状況を知らせるランプを設置しておき、そのランプを所定の時間内で点滅させて状況変化があったことを知らせるようにしてもよい。この場合には、ユーザからの変化状況の確認指示で変化状況を表示させる。
【００５８】
また、周期的に外部機器へ現在の状況を問い合わせるようにしても良い。図６の場合には、この問合せの時間間隔を「１時間ごと」、「３０分ごと」、「ユーザの指定した時間ごと」のいずれかで指定する。「１時間ごと」は、例えば、６時、７時、８時、・・・のような正時に問い合わせる。「３０分ごと」は、例えば、６時、６時半、７時、７時半、・・・のような時間に問い合わせる。「ユーザの指定した時間ごと」は、正時を基準にユーザの指定した分数間隔で問い合わせる。例えば、２時間間隔で問合せしたいときには、「１２０」を指定する。
【００５９】
ユーザはこれらの指定を設定したい場合には、「設定」ボタンを選択し、設定を無効にしたいときには「キャンセル」ボタンを選択する。
状況表示設定指示部１０４は、「キャンセル」ボタンが選択されたことを判定すると、制御を主制御部１１へ戻す。
【００６０】
また、状況表示設定指示部１０４は、「設定」ボタンが選択されたことを判定すると、選択された状況表示の可否を状況表示可否記憶部１０５に記憶し、また、周期設定部１０６を起動して選択された周期を送信して、制御を主制御部１１へ戻す。
周期設定部１０６は、状況表示設定指示部１０４から受信した周期に、状況要求部１０７への割込み実行が起こるように時刻設定を行い、実行を終了する。
【００６１】
主制御部１１は、ユーザがリモコン２５に設けた「状況表示要求」ボタン等を押すことによって、状況要求部１０７を起動する。
状況要求部１０７は、起動すると、接続機器記憶部１０３に参照して、論理アドレスが１乃至９のうちで、物理アドレスが登録されている外部機器を検索する。
見つかったすべての外部機器の物理アドレスに対して、パラメータに状況取得要求を設定したＣＥＣベンダコマンドをＨＤＭＩネットワークに送出する。
【００６２】
また、状況要求部１０７は、ＨＤＭＩネットワークに接続された外部機器から送信されるＣＥＣコマンドを監視し、受信したＣＥＣコマンドが状況取得要求を送出した物理アドレスからのＣＥＣベンダコマンドであり、且つ、パラメータに状況返信が設定されているかを判断する。
【００６３】
状況要求部１０７は、ＣＥＣベンダコマンドのパラメータに状況返信が設定されているとき、そのパラメータに設定されている状況情報を取り出し、さらに、接続機器記憶部１０３に参照して、物理アドレスに対応する機器の名前を取得し、状況表示部１０８を起動して、状況要求部１０７からの呼び出しを表すフラグと機器の名前と状況情報とを引き渡す。
そして、状況要求部１０７は、状況取得要求を送出したすべての物理アドレスから返信があったときに実行を終了する。
【００６４】
主制御部１１は、ＨＤＭＩネットワークによって送信されてきた当該表示装置１０宛に送られてきたＣＥＣコマンドを受信する。
主制御部１１は、ＣＥＣコマンドがＣＥＣベンダコマンドであり、パラメータに状況変化送信が設定されている場合、変化状況受信部１０９を起動して、ＣＥＣベンダコマンドのパラメータを渡す。
【００６５】
変化状況受信部１０９は、起動すると、渡されたパラメータに設定された状況情報を取り出し、さらに、接続機器記憶部１０３に参照して、該ＣＥＣベンダコマンドを送信した外部機器の物理アドレスに対応する機器の名前を取得し、状況表示部１０８を起動して、変化状況受信部１０９からの呼び出しを表すフラグと機器の名前と状況情報とを引き渡す。
【００６６】
状況表示部１０８は、起動すると、呼び出し元を表すフラグを調べて、次のいずれかの処理を行う。
【００６７】
（１）呼び出し元が状況要求部１０７である場合：
この場合は、ユーザが随時指定して、ＨＤＭＩネットワークに接続された外部機器の状況を知りたいのであるから、この時点で知り得た各機器の状況を、「機器の名前」、「状況」、「チャンネル番号」、「番組名」、「番組の放送時間」等の項目からなる簡易的バナーとして数秒間表示される。ここで、簡易的バナーに表示される項目は、これらをすべて表示しなくても良い。
【００６８】
これらのうち、「機器の名前」は、呼び出し元から渡された外部機器の名前であり、「状況」は、呼び出し元から渡された状況情報から取り出した「状況」を示すコード、即ち、「録画中」、「待機中」、「その他」であり、表示するときにはコードはそれぞれ可読可能なメッセージとしたものが使われる。
【００６９】
また、「チャンネル番号」、「番組名」、「番組の放送時間」は、呼び出し元から渡された状況情報からチャンネル番号を取り出し、「状況」が「録画中」の時には、このチャンネル番号と現在の日時とにより、ＥＰＧ記憶部１０２から取り出され、「状況」が「待機中」の時には、このチャンネル番号と状況情報から取り出した「録画開始日時」とにより、ＥＰＧ記憶部１０２から取り出される。
しかし、「状況」が「その他」の時には、「機器の名前」と「状況」だけが簡易的バナーとして表示される。
【００７０】
例えば、この簡易的バナーは、図７に示すような形式で表示されるが、これに限定されるものではない。図７は、周期的あるいはユーザから随時指定されたときに、ＨＤＭＩネットワークに接続されている表示装置および外部機器に関する状況が表示されている。この画面には、表示装置１０自体が視聴中の番組の簡易的バナーと、レコーダ１の録画している番組に関する簡易的バナーと、レコーダ２で予約している番組に関する簡易的バナーとが表示されている。
【００７１】
表示装置１０自体に関する情報が必要ないときには、省略しても構わない。しかし、ＨＤＭＩネットワークに接続されているすべての機器について表示しておけば、これらの比較が容易になる。
【００７２】
また、図７によれば、テレビでは、「地上Ｄ０５５」チャンネルで「スポーツ」番組を視聴中であり、レコーダ１は表示中の「地上Ｄ０１１」チャンネルから「ニュース」番組を現在録画中であり、レコーダ２は表示中の「地上Ｄ０９９」チャンネルから「ドラマＸＸ」番組を予約中であることが分かる。
【００７３】
（２）呼び出し元が変化状況受信部１０９である場合：
この場合は、ＨＤＭＩネットワークに接続された外部機器の状況が変化したときに、この変化のあった機器に関する変化状況を、「機器の名前」、「状況」、「チャンネル番号」、「番組名」、「番組の放送時間」等の項目からなる簡易的バナーとして数秒間表示される。
また、この簡易的バナーは、状況表示可否記憶部１０５に状況表示の可否を設定することによって、変化状況を表示させたり、表示させないようにすることができる。
【００７４】
これらのうち、「機器の名前」は、呼び出し元から渡された外部機器の名前であり、「状況」は、呼び出し元から渡された状況情報から取り出した「変化の種類」を示すコード、即ち、「録画開始」、「録画終了」、「番組変更」であり、表示するときにはコードはそれぞれ可読可能なメッセージとしたものが使われる。
【００７５】
また、「チャンネル番号」、「番組名」、「番組の放送時間」は、呼び出し元から渡された状況情報からチャンネル番号を取り出し、「変化の種類」が「録画開始」や「番組変更」の場合には、このチャンネル番号と現在の日時とにより、ＥＰＧ記憶部１０２から取り出される。
しかし、「録画終了」の時には、簡易的バナーに「機器の名前」と「状況（録画終了）」だけが表示される。
【００７６】
このように、簡易的バナーに用いる番組情報は、表示装置１０が取得しているＥＰＧ番組情報をもとにしていることから、ＨＤＭＩネットワークのＣＥＣコマンドによる転送の情報量を格段に削減することができ、しかもＣＥＣコマンドを用いて大量のデータを転送しないので、外部機器の変化状況を早く知ることができる。
【００７７】
主制御部１１は、ユーザがリモコン２５に設けた「詳細表示」ボタン等を押すことによって、詳細表示部１１０を起動する。
詳細表示部１１０は、起動されると、ＨＤＭＩネットワークに接続された外部機器の名前のリストを表示させる。
ユーザは、リモコン２５の十字キーによって詳細表示させたい外部機器を選択し、決定キーを押す。
【００７８】
詳細表示部１１０は、外部機器が選択されると、接続機器記憶部１０３を参照して、選択された外部機器の物理アドレスを取得し、この物理アドレスに対して、パラメータに状況取得要求を設定したＣＥＣベンダコマンドをＨＤＭＩネットワークに送出する。
【００７９】
詳細表示部１１０は、ＨＤＭＩネットワークに接続された外部機器から送信されるＣＥＣコマンドを監視し、受信したＣＥＣコマンドが状況取得要求を送出した物理アドレスからのＣＥＣベンダコマンドであり、且つ、パラメータに状況返信が設定されているかを判断する。
【００８０】
詳細表示部１１０は、ＣＥＣベンダコマンドのパラメータに状況返信が設定されているとき、そのパラメータに設定されている状況情報を取り出して、「機器の名前」、「状況」、「チャンネル番号」、「番組名」、「番組の放送時間」を簡易的バナーと同様に表示する。
【００８１】
これらのうち、「機器の名前」は、ユーザによって指定された外部機器の名前であり、「状況」は、状況情報のうちの「状況」を示すコード、即ち、「録画中」、「待機中」、「その他」であり、表示するときにはコードはそれぞれ可読可能なメッセージとしたものが使われる。
【００８２】
また、「チャンネル番号」、「番組名」、「番組の放送時間」は、状況情報からチャンネル番号を取り出し、「状況」が「録画中」の時には、このチャンネル番号と現在の日時とにより、ＥＰＧ記憶部１０２から取り出され、「状況」が「待機中」の時には、このチャンネル番号と状況情報から取り出した「録画開始日時」とにより、ＥＰＧ記憶部１０２から取り出される。
しかし、「状況」が「その他」の時には、「機器の名前」と「状況」だけが表示される。
【００８３】
さらに、「状況」が「録画中」や「待機中」の場合には、この番組の「詳細な情報」をＥＰＧ記憶部１０２から取り出して、表示装置１０の画面に表示可能な量だけ表示させる。「詳細な情報」がすべて表示できなかった分は、リモコン２５のスクロールキーを操作することによってすべての詳細な情報を表示することができる。
【００８４】
例えば、図８は、レコーダ１が録画している「ニュース」の簡易的バナーとこの「ニュース」に対する詳細な説明を表示している。この場合には、詳細な説明が全部表示し切れなかったので、スクロールキーによって表示をスクロールさせて全部読むことになる。
【００８５】
次に、外部機器３０について説明する。
主制御部は、ＨＤＭＩネットワークによって送信されてきた当該外部機器３０宛に送られてきたＣＥＣコマンドを受信する。
主制御部は、ＣＥＣコマンドがＣＥＣベンダコマンドであり、パラメータが状況取得要求であった場合、状況返信部３０１を起動して、ＣＥＣベンダコマンドを送付してきた外部機器の物理アドレスを渡す。
【００８６】
状況返信部３０１は、起動すると、自機器の状況を収集し、主制御部から渡された物理アドレス宛に、パラメータに状況返信と収集した状況情報とを設定したＣＥＣベンダコマンドをＨＤＭＩネットワークへ送信し、処理を終了する。ここで、収集される状況は、次のような情報である。
【００８７】
（１）予約録画の待機中であるかを調べる。
待機中であった場合は、「待機中」を示すコード、「予約録画のチャンネル番号」、「録画開始日時」が状況情報として収集される。
【００８８】
（２）録画実行中であるかを調べる。
録画実行中であった場合は、「録画中」を示すコード、「録画中のチャンネル番号」が状況情報として収集される。
【００８９】
（３）上記（１）、（２）以外であるかを調べる。
上記以外の場合には、「その他」を示すコードが状況情報として収集される。
【００９０】
次に、主制御部は、自機器の状況が変化したことを検知すると、変化状況送信部３０２を起動する。
変化状況送信部３０２は、例えば、予約していた番組の録画の開始または終了や、録画中に番組が変化したことを、「変化の種類」を示すコード、「変化した時のチャンネル番号」を状況情報とし、パラメータに状況変化送信と状況情報を設定したＣＥＣベンダコマンドを、ブロードキャストでＨＤＭＩネットワークへ送信して、処理を終了する。
ここで、「変化の種類」には、「予約録画の録画開始」、「予約録画の録画終了」、「録画中の番組変更」等がある。
【００９１】
尚、本発明は上述した実施形態に限定されず、本発明の要旨を逸脱しない範囲内で各種の変形、修正が可能であるのは勿論である。例えば、上述した実施形態では、デジタルテレビジョン放送として説明したが、デジタルラジオ放送であっても同様に適用することができる。
【００９２】
なお、本発明の実施形態は、上記の表示装置や外部機器の各部の機能をコンピュータプログラム化し、このコンピュータプログラムを表示装置や外部機器へインストールして実行することでも実現される。また、このコンピュータプログラムを着脱可能な記録媒体に記録したり、ネットワークを介してダウンロードすることにより、移送が簡単になり容易に実施することができる。
【図面の簡単な説明】
【００９３】
【図１】本実施形態に係る表示システムの例である。
【図２】本発明が適用される表示装置の構成を示すブロック図である。
【図３】本実施形態に係る表示装置および外部機器の機能構成を示すブロック図である。
【図４】接続機器記憶部のデータ構造例である。
【図５】ＨＤＭＩ規格における論理アドレスとデバイスの対応表である。
【図６】状況表示設定指示を行うときの画面例である。
【図７】簡易的バナーの出力例である。
【図８】詳細な情報の出力例である。
【符号の説明】
【００９４】
Ｃ，Ｃａ，Ｃｂ…ＨＤＭＩ準拠のケーブル、１０…表示装置、１１…主制御部、１２…記憶部、１３…リモコンＩ／Ｆ部、１５…チューナ、１６…分離部、１７…復号部、１８…ＨＤＭＩ信号処理部、１９…入力切替部、２０…ＯＳＤ生成部、２１…出力制御部、２２…音声・映像出力部、２３…入力端子、２４…ＨＤＭＩコネクタ、２５…リモコン、１０１…ＥＰＧ取込部、１０２…ＥＰＧ記憶部、１０３…接続機器記憶部、１０４…状況表示設定指示部、１０５…状況表示可否記憶部、１０６…周期設定部、１０７…状況要求部、１０８…状況表示部、１０９…状況変化受信部、１１０…詳細表示部、３０，３０1，３０2…外部機器、３０１…状況返信部、３０２…状況変化送信部。
【図１】
2009055538.tif 000005
【図２】
2009055538.tif 000006
【図３】
2009055538.tif 000007
【図４】
2009055538.tif 000008
【図５】
2009055538.tif 000009
【図６】
2009055538.tif 000010
【図７】
2009055538.tif 000011
【図８】
2009055538.tif 000012